(57)【要約】【課題】搬送間隔や搬送速度のみならずその他の搬送条件が原因となる紙葉類の紙詰まりを防止する紙葉類処理装置及びその紙詰まり防止方法を提供する。【解決手段】イメージセンサより紙幣イメージを取得し（Ｓ１）、紙幣イメージが紙幣の斜行角２０°以上を示しており（Ｓ２でＹｅｓ）、紙幣の搬送位置が紙幣搬送路６３の左端又は右端から１０ｍｍ以内に存在しているとき（Ｓ３でＹｅｓ）、搬送制御１として繰り出しモータ５８の回転数を下げる（Ｓ７）。斜行角が２０°未満（Ｓ２でＮｏ）又は搬送位置が紙幣搬送路６３の端部から１０ｍｍ超で（Ｓ３でＮｏ）、前後紙幣間隔が４５ｍｍ以下なら（Ｓ４でＹｅｓ）、搬送制御２として経路切替ゲート５９の切替をＯＦＦにする（Ｓ８）。紙幣間隔が４５ｍｍを超えていて（Ｓ４でＮｏ）、厚みセンサ６２から取得したデータ（Ｓ５）により、紙幣の搬送方向前方部分に紙幣２枚分の厚みがあれば（Ｓ６でＹｅｓ）、搬送制御３として搬送モータ５７の回転数を下げ、そうでなければ（Ｓ６でＮｏ）処理を終わる。【選択図】図７
2012141673.tif 000002
【特許請求の範囲】
【請求項１】
紙葉類繰出し部と、該紙葉類繰出し部により繰り出され紙葉類を第１の搬送路を介して搬入される鑑別部と、該鑑別部内の鑑別搬送路を通過中に鑑別されて送出された前記紙葉類を前記鑑別部に再搬送するよう前記第１の搬送路に送り戻す返送搬送路と前記鑑別部により鑑別された前記紙葉類を所定の紙葉類収納カセットに収納するよう搬送する収納搬送路とに切り替える経路切替ゲートと、前記鑑別部から前記経路切替ゲートまで前記紙葉類を搬送する第２の搬送路と、を少なくとも有する紙葉類処理装置において、
前記鑑別部において取得された前記紙葉類の画像に基づき前記紙葉類の前記鑑別搬送路の幅方向に対する搬送位置と傾斜角度とを検出する位置・傾斜検出手段を有し、
前記位置・傾斜検出手段において検出された前記傾斜角度が所定の傾斜角度以上であり且つ前記位置・傾斜検出手段において検出された前記紙幣搬送路の幅方向に対する搬送位置が前記紙葉類の左端角部と前記紙幣搬送路の左端部との左離間位置又は前記紙葉類の右端角部と前記紙幣搬送路の右端部との右離間位置が所定の離間距離以下の位置であるとき、前記繰出し部の繰出しモータの回転数を現行よりも下げるように制御する第１の制御手段と、を有することを特徴とする紙葉類処理装置。
【請求項２】
前記鑑別部において取得された前記紙葉類の前記画像から前記紙葉類の長手方向の長さと短手方向の長さとを検出する縦横長さ検出手段と、
前記位置・傾斜検出手段により検出された前記傾斜角度と前記縦横長さ検出手段により検出された長手方向と短手方向の前記長さとから当該紙葉類の前記紙幣搬送路における搬送方向の専有長さを算出する専有長さ算出手段と、を更に有し、
前記傾斜角度が所定の傾斜角度未満である、又は前記紙葉類の前記左離間位置又は前記右離間位置が前記所定の離間距離を超えた位置であるとき、更に前記専有長さ算出手段により算出された先行の紙葉類の前記専有長さの後端と後続の紙葉類の前記専有長さの前端との間隔が所定の間隔以下である場合に、当該紙葉類を前記鑑別部に再搬送するよう経路切替ゲートを切り替えるよう制御する第２の制御手段を更に有することを特徴とする請求項１に記載の紙葉類処理装置。
【請求項３】
前記紙幣搬送路により搬送中の前記紙葉類の厚みを検出する厚み検出手段と、
前記先行の紙葉類の前記専有長さの後端と前記後続の紙葉類の前記専有長さの前端との間隔が前記所定の間隔を超えているとき、更に前記厚み検出手段において前記紙葉類の厚みが前記紙葉類２枚分以上の厚みである部分が検出され且つ検出され２枚分以上の厚み部分の位置が搬送方向における前記紙葉類の前縁部分である場合は、前記搬送部の搬送モータの回転数を現行よりも下げるように制御し、前記紙葉類２枚分以上の厚みが検出されていないとき又は２枚分以上の厚みが検出されていても該２枚分以上の厚み部分の位置が前記搬送方向における前記紙葉類の後縁部分である場合はそのまま搬送を続行させるよう制御する第３の制御手段と、
を更に有することを特徴とする請求項２に記載の紙葉類処理装置。
【請求項４】
前記所定の傾斜角度は２０°である、ことを特徴とする請求項１〜３に記載の紙葉類処理装置。
【請求項５】
前記所定の間隔は１０ｍｍである、ことを特徴とする請求項１〜３に記載の紙葉類処理装置。
【請求項６】
前記所定の距離は４５ｍｍである、ことを特徴とする請求項１〜３に記載の紙葉類処理装置。
【請求項７】
紙葉類繰出し部と、該紙葉類繰出し部により繰り出され紙葉類を第１の搬送路を介して搬入される鑑別部と、該鑑別部内の鑑別搬送路を通過中に鑑別されて送出された前記紙葉類を前記鑑別部に再搬送するよう前記第１の搬送路に送り戻す返送搬送路と前記鑑別部により鑑別された前記紙葉類を所定の紙葉類収納カセットに収納するよう搬送する収納搬送路とに切り替える経路切替ゲートと、前記鑑別部から前記経路切替ゲートまで前記紙葉類を搬送する第２の搬送路と、を少なくとも有する紙葉類処理装置の紙詰まり防止方法において、
前記鑑別部において取得された前記紙葉類の画像に基づき前記紙葉類の前記鑑別搬送路の幅方向に対する搬送位置と傾斜角度とを検出する位置・傾斜検出工程と、
前記位置・傾斜検出工程において検出された前記傾斜角度が所定の傾斜角度以上であり且つ前記位置・傾斜検出工程において検出された前記紙幣搬送路の幅方向に対する搬送位置が前記紙葉類の左端角部と前記紙幣搬送路の左端部との左離間位置又は前記紙葉類の右端角部と前記紙幣搬送路の右端部との右離間位置が所定の離間距離以下の位置であるとき、前記繰出し部の繰出しモータの回転数を現行よりも下げるように制御する制御工程と、  を有することを特徴とする紙葉類処理装置。
【発明の詳細な説明】
【技術分野】
【０００１】
本発明は、紙葉類処理装置及びその紙詰まり防止方法に係わり、更に詳しくは搬送間隔や搬送速度のみならずその他の搬送条件が原因となる紙葉類の紙詰まりを防止する紙葉類処理装置及びその紙詰まり防止方法に関する。
【背景技術】
【０００２】
従来、例えば、金融機関等で使用されているＡＴＭ(automated telling machine) などに搭載されている紙幣入出金ユニットの紙幣収納繰出装置がある。また、駅構内等に設置されている券売機などにも紙葉類繰出装置が搭載されている。
【０００３】
これら紙葉類の収納と繰出し、又は収納専用、又は繰出し専用として用いられる装置には、いずれも紙葉類の繰出し部から収納部までの間に、搬送路を介して紙葉類を搬送する搬送装置が配設されている。
【０００４】
搬送装置において紙葉類を搬送する場合、往々にして搬送路上において紙葉類の紙詰まり（以下、ジャムという）が発生する。このようなジャムが発生すると、ＡＴＭ等の本体装置が稼動休止状態となり本体装置の運用が停止してしまうという重要な問題が発生する。
【０００５】
このようなジャムの防止対策については、現金自動預払機における紙幣搬送装置において、ジャムの発生要因がゲートの切替タイミングにあることを前提として、ゲートの切替タイミング及び切替速度を紙幣間隔または紙幣搬送速度に応じて段階的に切り替えることが提案されている。（例えば、特許文献１又は２参照。）
【先行技術文献】
【特許文献】
【０００６】
【特許文献１】特開昭６２−０７９１５９号公報
【特許文献２】特開平０８−０８７６３８号公報
【発明の概要】
【発明が解決しようとする課題】
【０００７】
しかしながら、特許文献１又は２の技術は、紙幣間隔や紙幣搬送速度の異常によるジャムの発生は防止できるが、搬送路における紙幣の搬送位置や搬送中の折れ等の紙幣の状態のような紙幣間隔や紙幣搬送速度とは異なる他の搬送条件が原因となるジャムの防止については何ら考慮されていない。
【０００８】
本発明は、上記従来の課題を解決するものであって、搬送間隔や搬送速度のみならずその他の搬送条件が原因となる紙葉類の紙詰まりを防止する紙葉類処理装置及びその紙詰まり防止方法を提供することを目的とする。
【課題を解決するための手段】
【０００９】
上記課題を解決するために、本発明の紙葉類処理装置は、紙葉類繰出し部と、該紙葉類繰出し部により繰り出され紙葉類を第１の搬送路を介して搬入される鑑別部と、該鑑別部内の鑑別搬送路を通過中に鑑別されて送出された上記紙葉類を上記鑑別部に再搬送するよう上記第１の搬送路に送り戻す返送搬送路と上記鑑別部により鑑別された上記紙葉類を所定の紙葉類収納カセットに収納するよう搬送する収納搬送路とに切り替える経路切替ゲートと、上記鑑別部から上記経路切替ゲートまで上記紙葉類を搬送する第２の搬送路と、を少なくとも有する紙葉類処理装置において、上記鑑別部において取得された上記紙葉類の画像に基づき上記紙葉類の上記鑑別搬送路の幅方向に対する搬送位置と傾斜角度とを検出する位置・傾斜検出手段を有し、上記位置・傾斜検出手段において検出された上記傾斜角度が所定の傾斜角度以上であり且つ上記位置・傾斜検出手段において検出された上記紙幣搬送路の幅方向に対する搬送位置が上記紙葉類の左端角部と上記紙幣搬送路の左端部との左離間位置又は上記紙葉類の右端角部と上記紙幣搬送路の右端部との右離間位置が所定の離間距離以下の位置であるとき、上記繰出し部の繰出しモータの回転数を現行よりも下げるように制御する第１の制御手段と、を有して構成される。
【００１０】
この紙葉類処理装置は、例えば、上記鑑別部において取得された上記紙葉類の上記画像から上記紙葉類の長手方向の長さと短手方向の長さとを検出する縦横長さ検出手段と、上記位置・傾斜検出手段により検出された上記傾斜角度と上記縦横長さ検出手段により検出された長手方向と短手方向の上記長さとから当該紙葉類の上記紙幣搬送路における搬送方向の専有長さを算出する専有長さ算出手段と、を更に有し、上記傾斜角度が所定の傾斜角度未満である、又は上記紙葉類の上記左離間位置又は上記右離間位置が上記所定の離間距離を超えた位置であるとき、更に上記専有長さ算出手段により算出された先行の紙葉類の上記専有長さの後端と後続の紙葉類の上記専有長さの前端との間隔が所定の間隔以下である場合に、当該紙葉類を上記鑑別部に再搬送するよう経路切替ゲートを切り替えるよう制御する第２の制御手段を更に有するように構成される。
【００１１】
この場合、例えば、上記紙幣搬送路により搬送中の上記紙葉類の厚みを検出する厚み検出手段と、上記先行の紙葉類の上記専有長さの後端と上記後続の紙葉類の上記専有長さの前端との間隔が上記所定の間隔を超えているとき、更に上記厚み検出手段において上記紙葉類の厚みが上記紙葉類２枚分以上の厚みである部分が検出され且つ検出され２枚分以上の厚み部分の位置が搬送方向における上記紙葉類の前縁部分である場合は、上記搬送部の搬送モータの回転数を現行よりも下げるように制御し、上記紙葉類２枚分以上の厚みが検出されていないとき又は２枚分以上の厚みが検出されていても該２枚分以上の厚み部分の位置が上記搬送方向における上記紙葉類の後縁部分である場合はそのまま搬送を続行させるよう制御する第３の制御手段と、を更に有するように構成するのが好ましい。
【００１２】
上記の紙葉類処理装置において、例えば、上記所定の傾斜角度は２０°である。また、例えば、上記所定の間隔は１０ｍｍである。また、例えば、上記所定の距離は４５ｍｍである。
【００１３】
また、上記課題を解決するために、本発明の紙葉類処理装置の紙詰まり防止方法は、紙葉類繰出し部と、該紙葉類繰出し部により繰り出され紙葉類を第１の搬送路を介して搬入される鑑別部と、該鑑別部内の鑑別搬送路を通過中に鑑別されて送出された上記紙葉類を上記鑑別部に再搬送するよう上記第１の搬送路に送り戻す返送搬送路と上記鑑別部により鑑別された上記紙葉類を所定の紙葉類収納カセットに収納するよう搬送する収納搬送路とに切り替える経路切替ゲートと、上記鑑別部から上記経路切替ゲートまで上記紙葉類を搬送する第２の搬送路と、を少なくとも有する紙葉類処理装置の紙詰まり防止方法において、上記鑑別部において取得された上記紙葉類の画像に基づき上記紙葉類の上記鑑別搬送路の幅方向に対する搬送位置と傾斜角度とを検出する位置・傾斜検出工程と、上記位置・傾斜検出工程において検出された上記傾斜角度が所定の傾斜角度以上であり且つ上記位置・傾斜検出工程において検出された上記紙幣搬送路の幅方向に対する搬送位置が上記紙葉類の左端角部と上記紙幣搬送路の左端部との左離間位置又は上記紙葉類の右端角部と上記紙幣搬送路の右端部との右離間位置が所定の離間距離以下の位置であるとき、上記繰出し部の繰出しモータの回転数を現行よりも下げるように制御する制御工程と、を含んで構成される。
【発明の効果】
【００１４】
本発明によれば、搬送間隔や搬送速度のみならずその他の搬送条件が原因となる紙葉類の紙詰まりを防止する紙葉類処理装置及びその紙詰まり防止方法を提供することが可能となる。
【図面の簡単な説明】
【００１５】
【図１】本発明の実施例１に係る紙葉類収納繰出装置の外観構成を示す斜視図である。
【図２】実施例１に係る紙葉類収納繰出装置の下部筐体内に配設されている紙葉類処理装置の断面図である。
【図３】実施例１に係る紙葉類収納繰出装置における紙葉類処理装置の制御部を含むハードウエアの構成例を示すブロック図である。
【図４】実施例１に係る紙葉類収納繰出装置における紙幣搬送路と搬送される紙幣との関係を示す図である。
【図５】実施例１に係る紙葉類収納繰出装置の鑑別部の紙幣搬送路におけるセンサ配置を示す図である。
【図６】(a),(b),(c)は実施例１に係る紙葉類収納繰出装置においてジャムを発生させる要因となる搬送状態の紙幣の例を示す図である。
【図７】ジャム発生条件（要因）を勘案しながら搬送処理を制御してジャムの発生を防止する搬送制御処理の動作を示すフローチャートである。
【発明を実施するための形態】
【００１６】
以下、本発明の実施の形態について、詳細に説明する。
【実施例１】
【００１７】
図１は、実施例１に係る紙葉類収納繰出装置の外観構成を示す斜視図である。同図に示す紙葉類収納繰出装置１は、装置の上方約１／２弱を占める上部筐体２において、ほぼ垂直に形成されている前面部３は、装置奥行き方向の向う側に約１／３ほど引き込んで配置されている。
【００１８】
上部筐体２の前面部３には、最上部に、時間や設置場所等によって表示が変更される処理内容表示部４が配置されている。その下方には、前面部３のほぼ中央部左右縁近傍にそれぞれスピーカ５が配設されている。
【００１９】
スピーカ５より下方には、直下の挿入口が何を挿入する挿入口であるかを示す固定表示部６が配置されている。そして、その直下には、左方に例えば通帳等の冊子挿入口７が開口し、右方に例えばキャッシュカードやクレジットカード等のカード挿入口８が開口して配置されている。
【００２０】
そして装置の下方約１／２強を占める下部筐体９は、装置奥行き方向手前側にせり出して配置されており、その上面には、奥側右手側に紙幣等の紙葉類収納繰出部１１の上蓋１２が配置され、その左手側に硬貨収納繰出部１３の上蓋１４が配置されている。
【００２１】
また、下部筐体９の上面手前側には、ほぼ全面に入力操作表示部１５が配設されている。そして下部筐体９の前面は扉１６になっており、扉１６の左端部寄りに鍵穴１７が形成され、右端部寄りに不良硬貨等の返却口１８が形成されている。
【００２２】
図２は、上記下部筐体９の内部に配設されている紙葉類処理装置の断面図である。なお、図２の紙葉類処理装置２０は、例えば銀行等で対顧客用として使用されている現金自動取引装置と同様の構成を示している。
【００２３】
また、図２の紙葉類処理装置２０では、図１に示した紙葉類収納繰出部１１を入出金部１１として示し、入力操作表示部１５は図示を省略している。また、図２では、本体は搬送路中に配置されるべき一次保留部や返却保留部等の装置は、本発明の要部ではないので図示を省略している。
【００２４】
図２に示す紙葉類処理装置２０は、前方（図の右方）上部に顧客が外部から紙葉類（以下、紙幣という）を出し入れする入出金部１１を備えている。なお、入出金部１１の上部で前後に開閉する図１に示した上蓋（シャッタともいう）１２の図示は省略している。
【００２５】
入出金部１１には、紙幣の繰入れ繰出し機構部の繰出しローラ２１が配置されている。繰出しローラ２１から先には、紙幣を搬送する経路ａ、ｂ、ｃ、ｄ、ｅ、ｆ、ｇ、ｈ、ｉ、ｊ、ｋが形成されている。
【００２６】
なお、以下の説明では、顧客から入出金部１１に投入された預け入れ紙幣を収納する場合の紙幣搬送経路について説明する。
【００２７】
繰出しローラ２１により入出金部１１から繰り出された紙幣を搬送する紙幣搬送経路ａは紙幣収納経路であり、案内ローラ２２により下方に向かう経路ｂとして進路を変え、更に第１の経路切替ゲート２３で出金紙幣を搬送する経路ｋと合流し、経路ｃとなって鑑別部２４を通過する。
【００２８】
鑑別部２４から先は、第２の経路切替ゲート２５によって、鑑別部２４で顧客に返却（出金の場合は払い出し）すべき紙幣と鑑別された紙幣を搬送する経路ｄと、収納部２６のいずれかの収納部に収納すべき紙幣と鑑別された紙幣を搬送する経路ｅとに分岐する。
【００２９】
上記の経路ｋ、ｃ、ｅは、駆動ローラ２７と従動ローラ２８とに掛け渡されて循環移動する無端ベルト２９の上循環部によって形成されている。無端ベルト２９の下循環部は、収納部２６の各収納部に紙幣を収納するベルト経路ｆ〜ｆを形成している。
【００３０】
ベルト経路ｆ〜ｆには、４つの経路切替ゲート３１、３２、３３、３４が配置されている。経路切替ゲート３１は、ベルト経路ｆ〜ｆによる紙幣搬送を、収納部２６のリジェクトボックス３５に入る経路ｇに切り替える。
【００３１】
経路切替ゲート３２は、ベルト経路ｆ〜ｆによる紙幣搬送をカセットＡ３６に入る経路ｈに切り替える。経路切替ゲート３３は、ベルト経路ｆ〜ｆによる紙幣搬送をカセットＢ３７に入る経路ｉに切り替える。経路切替ゲート３４は、ベルト経路ｆ〜ｆによる紙幣搬送をカセットＣ３８に入る経路ｊに切り替える。
【００３２】
なお、リジェクトボックス３５は、更なる内部構成として、特には図示しないが、取忘れ回収部及び複数のリジェクト部が配置されている。取忘れ回収部は、紙幣出金時に顧客が取り残した紙幣を一時的に回収する回収部であり、紙幣預け入れ時に用いられることはない。
【００３３】
また、複数のリジェクト部のうち一つは、顧客からの入金時において、正常券のうち出金で再利用される機会の最も少ない二千円紙幣と五千円紙幣を収納する収納部である。顧客が二千円紙幣や五千円紙幣を必要とする場合は、両替専用機が使用される。なお、リジェクト部に収納される紙幣の種類は上述に限らず、任意に設定することが可能である。
【００３４】
また、複数のリジェクト部のうち他の一つは、顧客からの入金時において、折れ、シワ、破れ等の損傷が大きく今後の使用に支障が考えられる損券や、既に発行していない旧券などを収納する収納部である。
【００３５】
また、顧客からの入金時において、贋紙幣、外国紙幣等の受付外金種、贋紙幣では無いが大きな汚れ等があり今後の使用に支障が考えられる紙幣は、リジェクト部ではなく、図示を省略した返却保留部に返却される。
【００３６】
また、収納部２６のカセットＡ３６、Ｂ３７、Ｃ３８の内２個のカセットは、入出金の頻度が最も多い一万円紙幣の収納用に使用される。残りの１個は、一万円紙幣の次に入出金の頻度が多い千円紙幣の収納用に使用される。
【００３７】
図３は、上記紙葉類処理装置２０の制御部を含むハードウエアの構成例を示すブロック図である。図３に示すように、紙葉類処理装置２０は、演算装置４０を中心に、この演算装置４０に紙幣搬送制御部４１、紙幣検知部４２、センサ部４３、変換部４５が接続されている。また、センサ部４３と変換部４５との間に増幅部４４が接続されている。
【００３８】
演算装置４０は、ＣＰＵ(central processing unit）４６とメモリ４７から成る。ＣＰＵ４６は、制御部４８と、この制御部４８に内部バスで接続された画像処理部４９と、ジャム要因紙幣検知部５１とを備えている。
【００３９】
また、制御部４８には、上述した外部の紙幣搬送制御部４１、紙幣検知部４２、センサ部４３が接続している。画像処理部４９には、外部の変換部４４が接続している。また、ジャム要因紙幣検知部５１には、メモリ４７のジャム要因紙幣データ部５２が接続している。
【００４０】
ジャム要因紙幣データ部５２は、少なくとも斜行情報５３、厚み情報５４、搬送位置情報５５、長さ情報５６のデータ領域を備えている。斜行情報５３には紙幣の傾斜角度の危険閾値の角度データとして例えば「２０°」が格納されている。
【００４１】
厚み情報５４には、厚みの閾値として例えば紙幣２枚分の厚みデータが格納されている。搬送位置情報５５には、紙幣の搬送位置として紙幣の左端部又は右端部と搬送路の左端又は右端からの離間距離の危険閾値としての距離データとして例えば「１０ｍｍ」が格納されている。
【００４２】
長さ情報５６には、斜行の有無に係わり無く搬送路を先行する紙幣が搬送方向に搬送路を専有する長さの後端と、この紙幣の直後を搬送される（搬送路を後行する）紙幣が搬送方向に搬送路を専有する長さの前端との搬送間隔の危険閾値としての長さデータとして例えば「４５ｍｍ」が格納されている。
【００４３】
また、紙幣搬送制御部４１は、搬送モータ５７、繰り出しモータ５８、経路切替ゲート５９の駆動を制御する。
【００４４】
また、紙幣検知部４２、センサ部４３、増幅部４４、変換部４５は、図２に示した鑑別部２４に配置されている。センサ部４３は詳しくは後述するイメージセンサ６１と厚みセンサ６２を備えており、制御部４８からの制御に基づいて駆動される。
【００４５】
イメージセンサ６１は、鑑別部２４を通過する紙幣を線順次に走査して、その走査データを増幅部４４を介して変換部４５に出力する。変換部４５は増幅された走査データをイメージデータに展開して画像処理部４９に出力する。
【００４６】
紙幣検知部４２は、センサ部４３の駆動タイミングをセンサ部４３と制御部４８に通知すると共に、厚みセンサ６２の出力を紙幣の厚み及びその厚みが閾値以上である場合はその厚みが検出された紙幣の部位と共に厚みデータとして制御部４８に転送する。
【００４７】
演算装置４０の画像処理部４９は、変換部４５から受け取ったイメージデータに基づいて、鑑別部２４を通過した紙幣の搬送路の幅方向に対する搬送位置と傾斜角度を検出して、その検出データを制御部４８とジャム要因紙幣検知部５１とに通知する。
【００４８】
更に、画像処理部４９は、変換部４５から受け取ったイメージデータに基づいて、鑑別部２４を通過した紙幣の長手方向の長さと短手方向の長さとを検出して、その検出データを制御部４８に通知する。
【００４９】
制御部４８は、画像処理部４９から受け取った紙幣の傾斜角度データと長手方向と短手方向の長さデータとから、当該紙幣が搬送路において搬送方向に搬送路を専有する長さを算出し、その算出データを、紙幣検知部４２から受け取った当該紙幣の厚みデータと共にジャム要因紙幣検知部５１に出力する。
【００５０】
ジャム要因紙幣検知部５１は、画像処理部４９から受け取った紙幣の搬送位置データ、傾斜角度データ、制御部４８から受け取った紙幣の厚みデータ及び搬送路を専有する長さデータを、単独又は組み合わせて、ジャム要因紙幣データ部５２の各閾値と比較する。
【００５１】
そして、ジャム要因紙幣検知部５１は、上記比較の結果、当該紙幣がジャム要因紙幣であると判別したときは、その判別結果を制御部４８に通知する。制御部４８は、その通知に基づいて、紙幣搬送制御部４１を介して、搬送モータ５７、繰り出しモータ５８、経路切替ゲート５９のいずれかの駆動を制御する。
【００５２】
図４は、上記構成の紙葉類収納繰出装置１における紙幣搬送路と搬送される紙幣との関係を示す図である。図４には、紙幣搬送路６３と、斜行なしで先行する紙幣６４ａと、紙幣搬送路６３に直交する方向に対して２７°の傾斜角度（斜行あり）で後続する紙幣６４ｂとを示している。なお、以下の説明では搬送箇所に関係なく紙幣搬送路を一律に紙幣搬送路６３として示すことにする。
【００５３】
図４に示す本例の紙幣搬送路６３の幅は１９０ｍｍである。また、紙幣６４（６４ａ、６４ｂ）が日本の新一万円札であるとしたときの紙幣の横幅と縦の長さは、斜行なしで先行する紙幣６４ａで示すように、横幅は１６０ｍｍ、縦の長さは７６ｍｍである。
【００５４】
したがって、斜行なしで先行する紙幣６４ａが搬送方向に紙幣搬送路６３を専有する長さは７６ｍｍである。また、紙幣搬送路６３に対する幅方向の左右合わせた離間距離（余地）は、「１９０−１６０＝３０（ｍｍ）」である。つまり左右いずれの余地も１５ｍｍであるとき、斜行なし紙幣６４ａは紙幣搬送路６３の中央を通過していることになる。
【００５５】
これに対して、傾斜角度２７°の斜行ありで後続する紙幣６４ｂが搬送方向に紙幣搬送路６３を専有する長さは、計算式は省略するが１５１ｍｍである。また、斜行すると、紙幣６４ｂの対角を結ぶ直線のコサイン値となるから、左右の余地は斜行なしの紙幣６４ａの余地よりも少なくなる。
【００５６】
図５は、上記構成の紙葉類収納繰出装置１の鑑別部２４の紙幣搬送路６３におけるセンサ配置を示す図である。図５には搬送される紙幣の例として斜行する紙幣６４ｂを示している。また、紙幣６４ｂが搬送される方向を矢印ａで示している。
【００５７】
図５に示すように、紙幣搬送方向の最上流側に、紙幣搬送路６３の幅方向に２個並んで紙幣前端部検知センサ６５が配置される。配置位置はそれぞれ搬送される紙幣の両側端部よりも内側である。
【００５８】
次にその下流に、イメージセンサ６１が、その長手方向を紙幣搬送路６３の幅方向に延在させ、且つ検知面を紙幣搬送路６３の搬送面に近接させて配置される。更にその下流に厚みセンサ６２が配置され、更にその下流に２個の紙幣後端部検知センサ６６が紙幣搬送路６３の幅方向に並んで配置される。
【００５９】
これら２個の紙幣後端部検知センサ６６は、構成も紙幣搬送路６３の幅方向の配置間隔も、紙幣前端部検知センサ６５の場合と同一であり、それぞれ搬送される紙幣の前端部を検出するか、後端部を検出かの目的が異なるだけである。
【００６０】
図６(a),(b),(c)は、ジャムを発生させる要因となる搬送状態の紙幣の例を示す図である。以下、ジャムを発生させる要因となる搬送状態の紙幣のことを「ジャム要因紙幣」ということにする。
【００６１】
図６(a)は紙幣搬送路６３に直交する方向６７に対する傾斜角度｜θ｜が傾斜角度の危険閾値２０°以上となっていて且つ紙幣左端部（同図の場合は左上がりの傾斜角で斜行しているため紙幣の左下角６８）と紙幣搬送路６３の左端からの離間距離ｂが離間距離の危険閾値１０ｍｍ以下となっている搬送状態のジャム要因紙幣６４−１を示している。
【００６２】
このように、紙幣の左端部６８と紙幣搬送路６３の左端からの離間距離ｂが危険閾値１０ｍｍ以下であると、紙幣の一部が紙幣搬送路６３の案内部材や経路切替ゲート等に衝突し、衝突するたびに紙幣搬送路６３を後方に滑り、紙幣の搬送速度が落ちる原因となる。
【００６３】
このように紙幣の搬送速度が落ちると後続の紙幣が追突して重なり、ジャムが発生することになる。したがって、図６(a)のジャム要因紙幣６４−１のような搬送状態が検出された場合は、繰り出しモータ５８の回転数を下げて、先行のジャム要因紙幣６４−１と後続の紙幣との間隔を広げるように搬送制御する。これによりジャムの発生が防止される。
【００６４】
図６(b)は、先行するジャム要因紙幣６４−２の、図４で説明した搬送方向に紙幣搬送路６３を専有する長さの後端６９と、後続のジャム要因紙幣６４−３の、搬送方向に紙幣搬送路６３を専有する長さの前端７１との、矢印ａで示す搬送方向の間隔ｃが、搬送間隔の危険閾値４５ｍｍ以下となっている搬送状態を示している。
【００６５】
この場合は、たとえ後続のジャム要因紙幣６４−３の紙幣搬送路６３との狭いほうの離間距離ｄが離間距離の危険閾値１０ｍｍを超えていても、搬送間隔が危険閾値４５ｍｍ以下となっているため、経路切替ゲートの切り替えタイミングより早く前端部が経路切替ゲートに到達して経路切替ゲートに絡みつきジャムが発生することになる。
【００６６】
したがって、図６(b)のジャム要因紙幣６４−２及び６４−３のような搬送状態が検出された場合は、第２の経路切替ゲート２５の動作をオフにして、ジャム要因紙幣６４−２及び６４−３を、経路ｄ、ａ、ｂ、ｃを介して鑑別部２４に再搬送する。
【００６７】
鑑別部２４には、図５には図示していないが、紙幣搬送方向上流の２個並んだ紙幣前端部検知センサ６５よりも上流に、紙幣一枚分を搬送するだけの時間で間歇的に回転するレジストローラが配置されている。
【００６８】
このレジストローラによって、ジャム要因紙幣６４−２及び６４−３の斜行が矯正されて、再度、イメージセンサ６１による画像認識と厚みセンサ６２による厚み認識が行われた後、紙幣搬送路ａに送り出される。これによりジャムの発生が防止される。
【００６９】
図６(c)は、紙幣の搬送方向前部の左角（右角でも同じ）に角折れ７２が有る状態で搬送されるジャム要因紙幣６４−４の搬送状態を示している。角折れ７２が有ると、たとえ図６(c)に示すように斜行なしで且つ紙幣搬送路の中央を搬送されている場合でも、紙幣搬送中の搬送ローラ、特に搬送路が９０℃以上の鋭角に曲がる搬送路の搬送ローラに角折れ付きの紙幣が引っかかり、ジャムが発生しやすくなる。
【００７０】
また、角折れがあると紙幣搬送路との摩擦が大きくなって当該紙幣の搬送速度が低下することも考えられる。また、摩擦が大きくなる部分が角部に片寄ると斜行の原因ともなりやすい。いずれの場合も、紙幣の搬送速度を遅くすることによって上記の予想される不具合を回避することができる。
【００７１】
したがって、図６(c)のジャム要因紙幣６４−４のような搬送状態が検出された場合は、搬送モータ５７の回転数を下げて搬送速度を現行よりも遅くなるように搬送制御する。
【００７２】
図７は、以上述べたようなジャム発生条件（要因）を勘案しながら搬送処理を制御してジャムの発生を防止する搬送制御処理の動作を示すフローチャートである。なお、この処理は、図３に示した演算装置４０のＣＰＵ４６によって実行される。
【００７３】
また、図７に示すフローチャートにおいて、破線で二分している処理ブロック９１と９２は、それぞれ、ジャム要因紙幣検出ブロック９１と搬送制御実行ブロック９２を示している。
【００７４】
図７において、ＣＰＵ４６は、イメージセンサより紙幣イメージを取得する（ステップＳ１）。この処理は、図３の紙幣検知部４２と画像処理部４９を制御して、鑑別部２４においてイメージセンサ６１により紙幣６４の画像データを取得する処理である。
【００７５】
なお、処理ステップでは説明していないが、ＣＰＵ４６は上記に続いて、取得された紙幣６４の画像データから紙幣６４の紙幣搬送路６３の幅方向に対する搬送位置（ｘ座標）と傾斜角（θ）（いずれも図６(a)参照）を検出している。
【００７６】
続いて、ＣＰＵ４６は、取得した紙幣６４の画像データから検出した紙幣の斜行角が２０°以上であるか否か判別する（ステップＳ２）。そして斜行角が２０°以上であるときは、更に紙幣の搬送位置が紙幣搬送路６３の左端又は右端から１０ｍｍ以内に存在しているか否かを判別する（ステップＳ３）。
【００７７】
そして、紙幣の搬送位置が紙幣搬送路６３の左端又は右端から１０ｍｍ以内に存在しているときは（Ｓ３の判別がＹｅｓ）、ＣＰＵ４６は、搬送制御１として、紙幣搬送制御部４１を介して繰り出しモータ５８の回転数を下げるように制御する（ステップＳ７）。
【００７８】
これにより、紙幣６４が大きく斜行していて且つ搬送位置が紙幣搬送路６３の左端又は右端に１０ｍｍ以内というように近寄り過ぎていて、紙幣の一部が紙幣搬送路６３の構成部材に衝突して搬送速度が落ちても、後続の紙幣の繰り出しを遅くして、先行と後続の紙幣の間隔を広げることができる。
【００７９】
したがって、後続の紙幣が、搬送速度が落ちた先行の紙幣に追突するおそれがなくなり、これにより、後続の紙幣が先行の紙幣に追突して重なることによって発生するジャムを防止することができる。
【００８０】
上記ステップＳ２の判別で斜行角が２０°未満である場合（Ｓ２の判別がＮｏ）、又は上記ステップＳ３の判別で搬送位置が紙幣搬送路６３の左端又は右端から１０ｍｍを超えて離れた位置にある場合（Ｓ３の判別がＮｏ）、ＣＰＵ４６は、次に後方紙幣との媒体間隔（搬送方向の紙幣間隔）が４５ｍｍ以下であるか否か判別する（ステップＳ４）。
【００８１】
この処理では、この処理に先立って、ＣＰＵ４６は、鑑別部２４において取得された紙幣６４の画像データから紙幣６４の長手方向の長さと短手方向の長さとを検出し、この検した２つの長さと、既に取得されている傾斜角度θとから紙幣６４の紙幣搬送路６３における搬送方向の専有長さを算出している（図４参照）。
【００８２】
この算出により、先行する紙幣の専有長さと、後続の紙幣の専有長さが判明すれば、繰り出し時間の間隔は同一であるので、前後の紙幣の間隔が算出できる（図６(b)の搬送方向の間隔ｃ参照）。
【００８３】
そして、ＣＰＵ４６は、上記算出された搬送方向の紙幣間隔が４５ｍｍ以下であるか否か判別し、４５ｍｍ以下であれば（Ｓ４の判別がＹｅｓ）、ＣＰＵ４６は、搬送制御２として、紙幣搬送制御部４１を介して経路切替ゲート５９のゲート切替をＯＦＦにするように制御する（ステップＳ８）。
【００８４】
これにより、間隔が近すぎる前後の紙幣がそのまま搬送されて経路切替ゲートの切り替えタイミングより前後にずれてジャムが発生させることなく、経路ｄ、ａ、ｂ、ｃを介して鑑別部２４に再搬送される。
【００８５】
そして、鑑別部２４において、斜行が矯正され、再度、イメージセンサ６１により画像認識と厚みセンサ６２による厚み認識が行われた後、紙幣搬送路ａに送り出される。これによりジャムの発生が防止される。
【００８６】
また、上記ステップＳ４の判別で、搬送方向の前後の紙幣間隔が４５ｍｍを超えているときは（Ｓ４の判別がＮｏ）、ＣＰＵ４６は、紙幣検知部４２を介して厚みセンサ６２の出力データを取得する（ステップＳ５）。
【００８７】
続いて、ＣＰＵ４６は、取得した厚みセンサ６２の出力データが紙幣の搬送方向前方部分に紙幣２枚分の厚みがあることを示しているか否か判別する（ステップＳ６）。そして、紙幣前方部分に紙幣２枚分の厚みがあれば（Ｓ６の判別がＹｅｓ）、ＣＰＵ４６は、搬送制御３として、紙幣搬送制御部４１を介して搬送モータ５７の回転数を下げるように制御する（ステップＳ９）。
【００８８】
これにより、前方部分に紙幣２枚分の厚みがある（角折れがある。図６(c)参照）場合でも、搬送モータ５７の回転数を下げて搬送速度が現行よりも遅くなることにより、紙幣搬送中の搬送ローラ、特に搬送路が９０℃以上の鋭角に曲がる搬送路の搬送ローラの所でも、角折れ付きの紙幣が引っかかりを起こしてジャムを発生させることが防止される。
【００８９】
また、上記ステップＳ６の判別で、紙幣２枚分以上の厚みが検出されていないとき又は２枚分以上の厚みが検出されていてもその２枚分以上の厚み部分の位置が紙幣６４の搬送方向の後部分である場合は（Ｓ６の判別がＮｏ）、ＣＰＵ４６は、そのまま搬送を続行させるよう制御する。すなわち、現状を変更することなく、ジャム要因紙幣検出の処理９１とそれに続く搬送制御実行の処理９２を終了する。
【００９０】
以上、本発明の実施例によれば、搬送間隔や搬送速度のみならずその他の搬送位置異状、狭まった搬送間隔、前方部の角折れ等の搬送条件が原因となる紙葉類の紙詰まりを防止するよう搬送制御する紙葉類紙詰まり防止方法、及びその防止方法を用いて紙葉類の紙詰まりを防止する紙葉類収納繰出装置を提供することが可能となる。
【産業上の利用可能性】
【００９１】
本発明は、紙葉類の紙づまりを防止するよう制御する紙葉類収納繰出装置及びその紙葉類の紙詰まり防止方法に利用することができる。
【符号の説明】
【００９２】
１  紙葉類収納繰出装置
２  上部筐体
３  前面部
４  処理内容表示部
５  スピーカ
７  冊子挿入口
８  カード挿入口
９  下部筐体
１１  紙葉類収納繰出部（入出金部）
１２  上蓋
１３  硬貨収納繰出部
１４  上蓋
１５  入力操作表示部
１６  扉
１７  鍵穴
１８  返却口
２０  紙葉類処理装置
ａ、ｂ、ｃ、ｄ、ｅ、ｆ、ｇ、ｈ、ｉ、ｊ、ｋ  経路
２１  繰出しローラ
２２  案内ローラ
２３  第１の経路切替ゲート
２４  鑑別部
２５  第２の経路切替ゲート
２６  収納部
２７  駆動ローラ
２８  従動ローラ
２９  無端ベルト
３１、３２、３３、３４  経路切替ゲート
３５  リジェクトボックス
３６  カセットＡ
３７  カセットＢ
３８  カセットＣ
４０  演算装置
４１  紙幣搬送制御部
４２  紙幣検知部
４３  センサ部
４４  増幅部
４５  変換部
４６  ＣＰＵ(central processing unit）
４７  メモリ
４８  制御部
４９  画像処理部
５１  ジャム要因紙幣検知部
５２  ジャム要因紙幣データ部
５３  斜行情報
５４  厚み情報
５５  搬送位置情報
５６  長さ情報
５７  搬送モータ
５８  繰り出しモータ
５９  経路切替ゲート
６１  イメージセンサ
６２  厚みセンサ
６３  紙幣搬送路
６４  紙幣
６４ａ  斜行なし紙幣
６４ｂ  斜行あり紙幣
６４−１、６４−２、６４−３、６４−４  ジャム要因紙幣
６５  紙幣前端部検知センサ
６６  紙幣後端部検知センサ
６７  紙幣搬送路に直交する方向
６８  紙幣の左下角
６９  ジャム要因紙幣の後端
７１  ジャム要因紙幣の前端
９１  ジャム要因紙幣検出ブロック
９２  搬送制御実行ブロック
【図１】
2012141673.tif 000003
【図２】
2012141673.tif 000004
【図３】
2012141673.tif 000005
【図６】
2012141673.tif 000006
【図７】
2012141673.tif 000007
【図４】
2012141673.tif 000008
【図５】
2012141673.tif 000009